(57)【特許請求の範囲】
【請求項１】
腹部側に凹部が設けられたルアーボディと、
前記凹部の内部に取り付けられ、前記凹部より外部に露出せずに設けられたフックアイと、
このフックアイに連結され、一部は前記凹部に位置し、他部は前記凹部より露出したスプリットリングと、
このスプリットリングに吊下げ部を介して取り付けられたフックを備えていることを特徴とする釣り用ルアー。
【請求項２】
下側に凹部が設けられたルアーボディと、
前記凹部の内部に取り付けられ、前記凹部より外部に露出せずに設けられたフックアイと、
このフックアイに連結され、一部は前記凹部に位置し、他部は前記凹部より露出したスプリットリングと、
このスプリットリングに吊下げ部を介して取り付けられたフックを備えていることを特徴とする釣り用ルアー。
【請求項３】
前記フックアイは、前記凹部の底部に設けられていることを特徴とする請求項１又は２に記載の釣り用ルアー。
【請求項４】
前記フックは、基端部に形成され、前記スプリットリングに揺動自在に取り付けられる吊下げ部と、
この吊下げ部に連なる軸部と、
この軸部から先端側に設けられた針先部を備えていることを特徴とする請求項１又は２に記載の釣り用ルアー。
【請求項５】
前記凹部の形状は、その開口部の縁部において、前記フックの軸部又は針先部の揺動範囲を規制することを特徴とする請求項４に記載の釣り用ルアー。
【請求項６】
前記凹部によって規制される前記フックの軸部又は針先部の揺動範囲は、前記針先部が前記ルアーボディの背側に達しない範囲であることを特徴とする請求項５に記載の釣り用ルアー。
【発明の詳細な説明】
【技術分野】
【０００１】
本発明は、ルアーフィッシングに用いる釣り用ルアー及びそのルアーボディに関するものである。
【背景技術】
【０００２】
一般にルアーフィッシングに用いる釣り用ルアーとして、小魚に似せたルアーボディの腹部や尾びれ部にフックをぶら下げた構造のものが知られている（例えば、特許文献１参照。）。
【０００３】
図５はこのような一般的な釣り用ルアー１００を示す側面図である。釣り用ルアー１００は、小魚を模したルアーボディ１１０を備えている。ルアーボディ１１０の腹部（ベリー）側には、フックアイ１２０，１２１が設けられている。また、先端側にはラインアイ１２２、後端側にはフックアイ１２３、背側にはバックアイ１２４が設けられている。
【０００４】
フックアイ１２０には、スプリットリング１３０を介してフロントフック１４０が取り付けられている。フックアイ１２１には、スプリットリング１３１を介してリアフック１４１が取り付けられている。フロントフック１４０は、輪状に形成された吊下げ部１４０ａと、吊下げ部１４０ａの下部に設けられた軸部１４０ｂと、この軸部１４０ｂからＪ字状に延びた３本の針先部１４０ｃを備えている。リアフック１４１は、輪状に形成された吊下げ部１４１ａと、吊下げ部１４１ａの下部に設けられた軸部１４１ｂと、この軸部１４１ｂからＪ字状に延びた３本の針先部１４１ｃを備えている。
【０００５】
フックアイ１２３には、スナップスイベル１５０を介してブレード１６０が取り付けられている。
【先行技術文献】
【特許文献】
【０００６】
【特許文献１】特開２０２０-０８０７２０号公報
【発明の概要】
【発明が解決しようとする課題】
【０００７】
上述したようにフックアイを介してフックを取り付ける釣り用ルアーにあっては、次のような問題があった。すなわち、図６に示すように、フロントフック１４０やリアフック１４１が使用中や引き上げた後にルアーボディ１１０の背側に回り、針先部１４０ｃがルアーボディ１１０に引っ掛かり、容易に取り外せないことがあった。また、バックアイ１２４にラインを取り付けるような釣り方法の場合には、ラインに針先部１４０ｃが引っ掛かることもあった。この場合も容易に取り外せない。
【０００８】
本発明は、このような課題に鑑みてなされたものであり、その目的とするところは、フックがルアーボディやラインに引っ掛かることを防止できる釣り用ルアー及びルアーボディを提供することにある。
【課題を解決するための手段】
【０００９】
本発明の釣り用ルアーは、腹部側に凹部が設けられたルアーボディと、前記凹部の内部に取り付けられ、前記凹部より外部に露出せずに設けられたフックアイと、このフックアイに連結され、一部は前記凹部に位置し、他部は前記凹部より露出したスプリットリングと、このスプリットリングに揺動自在に取り付けられたフックを備えていることを特徴とする。
【００１０】
本発明の釣り用ルアーは、下側に凹部が設けられたルアーボディと、前記凹部の内部に取り付けられ、前記凹部より外部に露出せずに設けられたフックアイと、このフックアイに連結され、一部は前記凹部に位置し、他部は前記凹部より露出したスプリットリングと、このスプリットリングに揺動自在に取り付けられたフックを備えていることを特徴とする。
【発明の効果】
【００１３】
本発明の釣り用ルアーによれば、凹部に設けられたフックアイに取り付けられたフックが凹部の開口部に干渉し、フックの揺動範囲を規制でき、フックの針先部がルアーボディやラインに引っ掛かる不具合を防止することができる。
【図面の簡単な説明】
【００１５】
【図１】本発明の実施形態である釣り用ルアーを示す側面図である。
【図２】同釣り用ルアーを構成するルアーボディを示す縦断面図である。
【図３】同ルアーボディを示す下面図である。
【図４】同釣り用ルアーを逆さにした場合を示す側面図である。
【図５】一般的な釣り用ルアーを示す側面図である。
【図６】同釣り用ルアーの問題点を示す側面図である。
【発明を実施するための形態】
【００１６】
以下、図面を参照しつつ本発明の実施形態について説明する。
【００１７】
図１は本発明の実施形態である釣り用ルアー１０を示す側面図、図２は釣り用ルアー１０を構成するルアーボディ２０を示す縦断面図、図３はルアーボディ２０を示す下面図である。釣り用ルアー１０は、ルアーボディ２０の先端のラインアイ２３に接続された釣り糸に引っ張られるようにして水中または水面付近に位置して周囲の魚を引きつけるように機能する。
【００１８】
釣り用ルアー１０は、小魚を模したルアーボディ２０を備えている。ルアーボディ２０は、プラスチックや金属、ゴム等で形成されている。ルアーボディ２０は、前部２０ａ，中央部２０ｂ，後部２０ｃから構成されている。ルアーボディ２０の前部２０ａ，中央部２０ｂの下側となる腹部（ベリー）側には、それぞれ凹部２１，２２が設けられている。凹部２１，２２の底部には、それぞれフックアイ２１ａ，２２ａが設けられている。フックアイ２１ａ，２２ａは、金属材製である。
【００１９】
ルアーボディ２０の先端側にはラインアイ２３、背側にはバックアイ２４、後端側にはフックアイ２５が設けられている。ラインアイ２３、バックアイ２４、フックアイ２５はいずれも金属材製である。
【００２０】
フックアイ２１ａには、金属材製のスプリットリング３０を介して金属材製のフロントフック４０が取り付けられている。フックアイ２２ａには、金属材製のスプリットリング３１を介して金属材製のリアフック４１が取り付けられている。フロントフック４０は、輪状に形成された吊下げ部４０ａと、吊下げ部４０ａの下部に設けられた軸部４０ｂと、この軸部４０ｂからＪ字状に延びた３本の針先部４０ｃを備えている。リアフック４１は、輪状に形成された吊下げ部４１ａと、吊下げ部４１ａの下部に設けられた軸部４１ｂと、この軸部４１ｂからＪ字状に延びた３本の針先部４１ｃを備えている。針先部４０ｃ，４１ｃの先端には、魚が食いついた後に針が外れ難くするためのかえし（バーブ）が設けられている。
【００２１】
ラインアイ２３は釣り糸に結びつけられる。フックアイ２５には、スナップスイベル５０を介してブレード６０が取り付けられている。
【００２２】
凹部２１，２２は、その開口部の縁部において、フロントフック４０及びリアフック４１の軸部４０ｂ,４１ｂ又は針先部４０ｃ,４１ｃに干渉し、フロントフック４０及びリアフック４１の揺動範囲を規制する深さに形成されている。凹部２１，２２によって規制されるフロントフック４０及びリアフック４１の揺動範囲は、針先部４０ｃ,４１ｃがルアーボディ２０の背側に達しない範囲である。
【００２３】
このように構成された釣り用ルアー１０は、次のようにして用いる。なお、ルアーボディ２０のみ準備されている場合には、ラインアイ２３に釣り糸を結びつける。フックアイ２５には、スナップスイベル５０を介してブレード６０を取り付ける。次に、フックアイ２１ａに、フロントフック４０、フックアイ２２ａに、リアフック４１を取り付ける。
【００２４】
このような状態で海・川に釣り用ルアー１０を投入し、魚釣りを行う。この時、フロントフック４０及びリアフック４１は、揺動自在であるが、フロントフック４０及びリアフック４１の軸部４０ｂ,４１ｂ又は針先部４０ｃ,４１ｃが凹部２１，２２の開口部の縁部に干渉し、大きく揺動することがない。例えば、針先部４０ｃ,４１ｃがルアーボディ２０の背側に達することはなく、針先部４０ｃ,４１ｃがルアーボディ２０に引っ掛かることがない。したがって、常にフロントフック４０及びリアフック４１が水中において揺動し、魚がルアーボディ２０に食いついた際に針先部４０ｃ,４１ｃが魚に口内に引っ掛かる等して有効に機能する。
【００２５】
また、釣り用ルアー１０を引き上げた際に、針先部４０ｃ,４１ｃがルアーボディ２０に引っ掛かることがないため、使用者が針先部４０ｃ,４１ｃをルアーボディ２０から取り外す等の余計な作業を行う必要が無い。
【００２６】
なお、バックアイ２４にラインを取り付けるような釣り方法の場合においても、ラインに針先部４０ｃ,４１ｃが引っ掛かることがなく、取り外し作業に煩わされることはない。
【００２７】
さらに、小さなルアーボディに大きな針（フロントフックやリアフック等）を装着した釣り用ルアーでは、前述したような針の引っ掛かり、糸（ライン）のもつれを生むので、そのような構成は採用できなかったが、本発明によれば、小さなルアーボディに大きな針を装着することも可能となるので、小さなルアーボディで大型の魚を釣り上げることも可能となり、釣りの範囲は各段に広がるといった効果がある。
【００２８】
以上、本発明の実施形態について説明したが、本発明はこれに限定されることなくその趣旨を逸脱しない範囲で種々の改良・変更が可能であることは勿論である。
【００２９】
例えば、上述した例ではルアーボディとして小魚を模したものを用いたが、小動物、昆虫等の形態を模したものや長円形・楕円形のような抽象形状のものでもよい。また、小魚型のルアーボディとして、その尾びれ部分が中折れ式で左右に揺動するものを用いてもよい。フックの形状は３本型に限られず、１本型でも２本型でも良く、使用するルアーの幅や形状、目的の魚によって適したものを用いてよい。また、スナップスイベル５０及びブレード６０を取り付けずにリップを設けるようにしてもよい。また、凹部の形状は円の他、長円・楕円、矩形状でも良い。以下に、本願出願の当初の特許請求の範囲に記載された発明を付記する。
［１］腹部側に凹部が設けられたルアーボディと、前記凹部の内部に取り付けられたフックアイと、このフックアイに連結されたスプリットリングと、このスプリットリングに吊下げ部を介して取り付けられたフックを備えている釣り用ルアー。
［２］下側に凹部が設けられたルアーボディと、前記凹部の内部に取り付けられたフックアイと、このフックアイに連結されたスプリットリングと、このスプリットリングに吊下げ部を介して取り付けられたフックを備えている釣り用ルアー。
［３］前記フックアイは、前記凹部の底部に設けられている［１］又は［２］に記載の釣り用ルアー。
［４］前記フックは、基端部に形成され、前記スプリットリングに揺動自在に取り付けられる吊下げ部と、この吊下げ部に連なる軸部と、この軸部から先端側に設けられた針先部を備えている［１］又は［２］に記載の釣り用ルアー。
［５］前記凹部の形状は、その開口部の縁部において、前記フックの軸部又は針先部の揺動範囲を規制する［４］に記載の釣り用ルアー。
［６］前記凹部によって規制される前記フックの軸部又は針先部の揺動範囲は、前記針先部が前記ルアーボディの背側に達しない範囲である［５］に記載の釣り用ルアー。
［７］疑似餌状に形成されたボディ本体と、このボディ本体の腹部側に設けられた凹部と、この凹部の底部に設けられ、フックを取り付けるためのフックアイを備えているルアーボディ。
［８］疑似餌状に形成されたボディ本体と、このボディ本体の下側に設けられた凹部と、この凹部の底部に設けられ、フックを取り付けるためのフックアイを備えているルアーボディ。
【産業上の利用可能性】
【００３０】
本発明は、釣り糸に引っ張られるようにして水中または水面付近に位置して疑似餌として動作し、周囲の魚を引きつけるように機能する釣り用ルアー及びルアーボディとして有効である。
【符号の説明】
【００３１】
１０…釣り用ルアー、２０…ルアーボディ、２１…凹部、２１ａ…フックアイ、２２…凹部、２２ａ…フックアイ、２３…ラインアイ、２４…バックアイ、２５…フックアイ、３０…スプリットリング、３１…スプリットリング、４０…フロントフック、４０ａ…吊下げ部、４０ｂ…軸部、４０ｃ…針先部、４１…リアフック、４１ａ…吊下げ部、４１ｂ…軸部、４１ｃ…針先部、５０…スナップスイベル、６０…ブレード、１００…釣り用ルアー、１１０…ルアーボディ、１２０…フックアイ、１２１…フックアイ、１２２…ラインアイ、１２３…フックアイ、１２４…バックアイ、１３０…スプリットリング、１３１…スプリットリング、１４０…フロントフック、１４０ａ…吊下げ部、１４０ｂ…軸部、１４０ｃ…針先部、１４１…リアフック、１４１ａ…吊下げ部、１４１ｂ…軸部、１４１ｃ…針先部、１５０…スナップスイベル、１６０…ブレード。
【要約】
【課題】フックがルアーボディに引っ掛かることを防止できる釣り用ルアーを提供することにある。
【解決手段】本発明は、腹部側に凹部２１，２２が設けられたルアーボディ２０と、凹部２１，２２の底部に取り付けられたフックアイ２１ａ，２２ａと、このフックアイ２１ａ，２２ａに連結されたスプリットリング３０，３１と、スプリットリング３０，３１に揺動自在に取り付けられたフロントフック４０、リアフック４１を備え、フロントフック４０、リアフック４１は、スプリットリング３０，３１に揺動自在に取り付けられる吊下げ部４０ａ，４１ａと、吊下げ部４０ａ，４１ａに連なる軸部４０ｂ，４１ｂと、この軸部４０ｂ，４１ｂから先端側に設けられた針先部４０ｃ，４１ｃを備え、凹部２１，２２の形状は、その開口部の縁部において、フロントフック４０、リアフック４１の軸部４０ｂ，４１ｂ又は針先部４０ｃ，４１ｃの揺動範囲を針先部４０ｃ，４１ｃがルアーボディ２０の背側に達しない範囲であることを特徴とする。
【選択図】図２【図１】
0006837251.tif 000002
【図２】
0006837251.tif 000003
【図３】
0006837251.tif 000004
【図４】
0006837251.tif 000005
【図５】
0006837251.tif 000006
【図６】
0006837251.tif 000007